(57)【要約】【課題】ガラスの欠陥を識別する方法及びシステムを提供すること。【解決手段】この方法は、識別装置を使用して複数のガラスシートの各々を識別子で識別すること、マッピング装置を使用して複数のガラスシートの各々についてガラスの属性マップを作成すること、コンピュータシステムを使用して複数のガラスシートの各々の属性マップを複数のガラスシートのうちの対応する各ガラスシートの識別子に関連付けること、ガラスシートの各々のガラス属性マップをデータベースに格納すること、そしてデータベース内の情報へのアクセスレベルを顧客に供与して、顧客が取得したガラスシートの属性マップの少なくとも一部を当該顧客が検索できるようにすることを含む。【選択図】図１
2018055696.tif 000002
【特許請求の範囲】
【請求項１】
ガラスの欠陥を識別する方法であって、
識別装置を使用して、複数のガラスシートの各々を識別子で識別すること、
マッピング装置を使用して、前記複数のガラスシートの各々についてガラス属性マップを作成すること、
コンピュータシステムを使用して、前記複数のガラスシートの各々の前記属性マップを当該複数のガラスシートのうちの対応する各ガラスシートの識別子に関連付けること、
前記複数のガラスシートの各々の前記ガラス属性マップをデータベース内に格納すること、及び
前記データベース内の情報へのアクセスレベルを顧客に供与し、当該顧客が取得した前記ガラスシートの前記属性マップのうちの少なくとも一部を当該顧客が検索できるようにすること、
を含むガラス欠陥の識別方法。
【請求項２】
前記データベースを暗号化し、そして前記顧客が取得した前記ガラスシートに関連付けられ格納された前記属性マップの統計的データ処理を当該顧客が行うことを防止しつつ当該顧客が供与された前記アクセスレベルに従って前記データベース内のデータにアクセスできるようにする鍵を前記顧客に提供することを更に含む、請求項１に記載の方法。
【請求項３】
前記アクセスレベルを前記顧客に供与することが、前記データベース内のデータをフィルタリングして、取得されたガラスシートに対応するフィルタリングされたデータを前記顧客に提供するとともに、前記フィルタリングされたデータを含む前記データベースの一部のみへ前記顧客にアクセスさせることを含む、請求項１に記載の方法。
【請求項４】
前記フィルタリングされたデータを含む前記データベースの一部へアクセスさせる前に、前記フィルタリングされたデータを暗号化することを更に含む、請求項１又は３に記載の方法。
【請求項５】
前記フィルタリングが、前記データベース内のデータをフィルタリングして、前記顧客が支払った課金に応じて取得したガラスシートに対応するフィルタリングされたデータを当該顧客に提供することを含む、請求項３に記載の方法。
【請求項６】
顧客が支払った課金に応じた前記データベース内の情報への複数のアクセスレベルを設定することを更に含む、請求項１から５の何れかに記載の方法。
【請求項７】
前記属性が、ガラスシートの厚さ、ガラスの種類、製造年月日、製造時刻、製造場所、製造機械、又はそれらの任意の組み合わせを含む、請求項１から６の何れかに記載の方法。
【請求項８】
前記識別子が、固有の一次元バーコード、固有の二次元バーコード、又は固有のデータマトリクスを含む、請求項１から７の何れかに記載の方法。
【請求項９】
前記複数のガラスシートの各々を識別することが、前記識別子で前記ガラスシートの各々をマーキングすることを含む、請求項１から８の何れかに記載の方法。
【請求項１０】
前記マーキングすることがレーザーを使用してマーキングすることを含む、請求項９に記載の方法。
【請求項１１】
前記属性マップを作成することが、スキャナを使用して前記複数のガラスシートの各々を走査し、そして各欠陥の位置と種類を前記データベースに記録することを含む、請求項１から１０の何れかに記載の方法。
【請求項１２】
前記ガラスの属性マップが、欠陥の大きさ、欠陥の位置、欠陥の種類、欠陥の密度、欠陥の重症度基準、あるいはそれらの任意の組み合わせを含む、請求項１１に記載の方法。
【請求項１３】
前記重症度基準が設定限界値よりも小さい隣接する欠陥間の距離を含む、請求項１２に記載の方法。
【請求項１４】
前記重症度基準が、前記ガラスシート内のガラス層内若しくは前記ガラスシート上の塗膜層内の欠陥の位置、又はこれらの組み合わせを含む、請求項１２に記載の方法。
【請求項１５】
前記重症度基準が１と１０の間の段階又は０と１の間の段階を尺度とする、請求項１２に記載の方法。
【請求項１６】
加工のために前記顧客にガラスシートを送るための容認できる重症度基準限界値が、シートごとに約０．６の密度の約５ミリメートルのガラス欠陥の大きさであり、又はシートごとに約１の密度の約３ミリメートルのガラス欠陥の大きさである、請求項１２に記載の方法。
【請求項１７】
前記複数のガラスシートの各々に塗膜を塗布することを更に含む、請求項１から１６の何れかに記載の方法。
【請求項１８】
前記複数のガラスシートの各々を走査して、前記ガラスの属性マップを前記塗膜と関連付けられた情報で更新することを更に含む、請求項１７に記載の方法。
【請求項１９】
前記顧客の読み取り装置によって前記複数のシートのうちの第１のシートの識別子を読み取り、そして当該第１のシート及び前記複数のシートのうちの他のシートの属性マップを前記データベースから検索することを更に含む、請求項１から１８の何れかに記載の方法。
【請求項２０】
前記複数のガラスシートを顧客へ搬送するためガラスシート積重体として配列することを更に含む、請求項１から１９の何れかに記載の方法。
【請求項２１】
前記積重体内の各シートの順序を前記データベースに記録することを更に含む、請求項２０に記載の方法。
【請求項２２】
ガラスの欠陥を識別するシステムであって、
顧客によって加工される複数のガラスシートの各々を識別子で識別するように構成された識別装置、
前記複数のガラスシートの各々についてガラスの属性マップを作成するように構成されたマッピング装置、
前記複数のガラスシートの各々の前記属性マップを前記複数のガラスシートのうちの対応する各ガラスシートの識別子に関連付けるように構成されたコンピュータシステム、及び
前記ガラスシートの各々の前記ガラスの属性マップを格納するように構成されたデータベース、
を含み、
前記データベースの少なくとも一部は、前記顧客が取得した前記ガラスシートの前記属性マップの少なくとも一部を当該顧客が検索できるように、前記データベース内の情報への所定のアクセスレベルに従って当該顧客がアクセスすることが可能である、ガラス欠陥の識別システム。
【請求項２３】
前記データベースが暗号化されており、且つ供与された前記アクセスレベルに従って前記データベース内のデータへアクセスすることが鍵を使用してできるようにされて、前記顧客が取得した前記ガラスシートに関連付けられ格納された前記属性マップの統計的データ処理を当該顧客が行うことを防止している、請求項２２に記載のシステム。
【請求項２４】
前記データベース内の前記データをフィルタリングして、取得された前記ガラスシートに対応するフィルタリングされたデータを前記顧客に提供する、請求項２２又は２３に記載のシステム。
【請求項２５】
前記フィルタリングされたデータを暗号化する、請求項２４に記載のシステム。
【請求項２６】
前記データベース内のデータを前記顧客が支払った課金に応じてフィルタリングする、請求項２４に記載のシステム。
【請求項２７】
前記顧客が支払った課金に応じて前記データベース内の情報への複数のアクセスレベルを設定する、請求項２２から２６の何れかに記載のシステム。
【請求項２８】
前記ガラスの属性マップが、欠陥の大きさ、欠陥の位置、欠陥の種類、欠陥の密度、又は欠陥の重症度基準、あるいはそれらの任意の組み合わせを含む、請求項２２から２７の何れかに記載のシステム。
【請求項２９】
前記重症度基準が設定限界値よりも小さい隣接する欠陥間の距離を含む、請求項２８に記載のシステム。
【請求項３０】
前記重症度基準が、前記ガラスシート内のガラス層の内部若しくは前記ガラスシート上の塗膜層の内部の欠陥の位置、あるいはそれらの組み合わせを含む、請求項２８に記載のシステム。
【請求項３１】
ガラスシート用の切断レイアウトを作成する方法であって、
第１製造業者に関連付けられたデータベース内の情報に、第２製造業者に関連付けられたコンピュータシステムによってアクセスし、このデータベースはガラスシート内の１以上の欠陥の位置を含むガラスシートの属性を格納しており、第２製造業者により第１製造業者に支払われた課金又は料金に応じて、アクセスされる前記情報の量を第１製造業者に関連付けられたコンピュータシステムによって設定すること、及び
第２製造業者に関連付けられたコンピュータシステムによって前記情報を処理して、所望の切断レイアウトを作成するための最適化した切断手順を提供すること、
を含む、ガラスシート用切断レイアウトの作成方法。
【発明の詳細な説明】
【技術分野】
【０００１】
本発明は、ガラスの製造方法及びシステムに関し、より詳しく言えば、フロートガラス供給者からのシート明細情報を適切に活用することによって顧客側でガラスの品質に関連した損失を低減するための方法及びシステムに関する。
【背景技術】
【０００２】
ガラスは、連続リボン、例えばフロートガラス又は鋳込みガラスの連続リボンとして製造することができる。その後このリボンを切断して、「マザーガラス」又は大判ガラス板若しくは大判ガラスシートと呼ばれる複数のガラスシートにすることができる。典型的には、これらの複数のガラスシートは３．２１ｍ×約６ｍの寸法、又は２．５５ｍ×３．２１ｍの寸法を有する。しかし、他の寸法を有するシートも製造することができる。
【０００３】
平板ガラス及び／又は加工ガラス製造業者によってその顧客へ納品される全ての標準ガラス製品群について、品質仕様書で、特性、属性及び基準許容限界が規定される。場合によっては、ガラス材料により満たされる許容限界と顧客が要求する品質規準との間に隔たりがあり得るために、潜在的なガラスの損失（以下、「不良損失」と称する）又は欠陥を生じ得る。
【０００４】
一般に、切断前にガラスリボンの欠陥の有無が分析又は精査され、ガラスリボンが仕様に一致するか否かが確認される。例えば、規格外の欠陥が存在する場合、ガラスシートは、ガラスリボンの１つ以上の規格外欠陥を有する１つ以上の部分を除去するように切断される。或いは、各欠陥に対して例えばインクでマーキングすることによって、以後それらが他の分析を行うことなく識別できるようにすることもできる。切断後、ガラスシートは欠陥の仕様区分に応じて異なるパイルに積み重ねることができる。
【０００５】
その後、ガラスシートには、層の被着又は積層加工等の１つ以上の二次加工処理を施すことができる。各加工処理後、ガラスシートは他の欠陥の存在を検出するため更に分析されて、ガラスシートの品質が所定の仕様に一致するか否かが確認される。
【発明の概要】
【課題を解決するための手段】
【０００６】
本発明の一態様によれば、ガラスの欠陥を識別する方法が提供される。この方法は、識別装置を使用して複数のガラスシートの各々を識別子で識別することと、マッピング装置を使用して複数のガラスシートの各々についてガラス属性マップを作成することを含む。この方法は更に、コンピュータシステムを使用して複数のガラスシートの各々の属性マップを複数のガラスシートのうちの対応する各ガラスシートの識別子に関連付けることと、ガラスシートの各々のガラス属性マップをデータベースに格納することと、データベース内の情報へのアクセスレベルを顧客に提供して、顧客が取得したガラスシートの属性マップの少なくとも一部を当該顧客が検索できるようにすることを含む。
【０００７】
本発明の別の態様によれば、ガラスの欠陥を識別するシステムが提供される。このシステムは、顧客によって加工される複数のガラスシートの各々を識別子で識別するように構成された識別装置と、複数のガラスシートの各々についてガラス属性マップを作成するように構成されたマッピング装置を含む。このシステムは更に、複数のガラスシートの各々の属性マップを複数のガラスシートのうちの対応する各ガラスシートの識別子に関連付けるように構成されたコンピュータシステムと、ガラスシートの各々のガラス属性マップを格納するように構成されたデータベースとを含む。データベースの少なくとも一部は、顧客がガラスシートの属性マップの少なくとも一部を検索できるようにするため、データベース内の情報への所定のアクセスレベルに従って顧客がアクセスすることが可能である。
【０００８】
本発明の更に別の態様によれば、ガラスシート用の切断レイアウトを作成する方法が提供される。この方法は、第１製造業者に関連付けられたデータベース内の情報に第２製造業者に関連付けられたコンピュータシステムによってアクセスすることを含み、このデータベースはガラスシート内の１つ以上の欠陥の位置を含むガラスシートの属性を格納しており、第２製造業者により第１製造業者に支払われた課金又は料金に応じて、アクセスされる情報の量が第１製造業者に関連付けられたコンピュータシステムによって設定される。この方法は更に、第２製造業者に関連付けられたコンピュータシステムによって、所望の切断レイアウトを作成するための最適化した切断手順を提供する量の情報を処理することを含む。
【０００９】
本発明の上記及び他の目的、特徴及び特色は、システムの関連する構成要素の操作方法及び機能並びに各部分と製造の経済性との組み合わせとともに、添付の図面を参照しつつ以下の説明及び添付の特許請求の範囲を検討することによってより明白になろう。全ての図面は本明細書の一部を構成し、各図において同様の参照符号は対応する部分を示している。本発明の実施形態において、図示された構成要素は所定の縮尺で描かれている。これらの図面は例示及び説明のみを目的とするものであり、本発明の範囲を限定することを意図したものではないことを明確に理解されたい。本件の原文明細書及び特許請求の範囲において用いる単数形は、文脈によって明示されない限り複数形を包含するものである。
【図面の簡単な説明】
【００１０】
【図１】本発明の一実施形態によるガラス製造プロセスの概略図である。
【図２】本発明の一実施形態による特定の顧客に特定のサブデータベースを提供する例を示す概略図である。
【図３】各種欠陥の目録を作成することができるガラスシートの例を示す図である。
【図４】本発明の一実施形態による切断レイアウトで切断しようとするガラス片の形状を示す図である。
【図５】本発明の各種実施形態による切断すべきガラス片が多角形又は他の任意のより複雑な形状等の任意の所望の形状を有し得ることを示す図である。
【図６Ａ】本発明の一実施形態による、ガラス片について許容できると見なさすことができる欠陥と切断しようとするガラス片のいずれについても許容できない可能性のある欠陥のある、最適切断レイアウトの例を示す図である。
【図６Ｂ】本発明の一実施形態による、切断しようとするガラス片又はプリミティブの内部で互いの内側に配置された（同心配置された）複数の許容ゾーン（長方形等）内の各種欠陥を示す図である。
【図７】本発明の一実施形態によるガラスの欠陥を識別する方法のフローチャートである。
【発明を実施するための形態】
【００１１】
図１は、本発明の一実施形態に係るガラス製造プロセスの概略図である。この図の破線より上方の部分は、第１ガラス製造業者（例えばサン−ゴバン・グラス社）の所在地でガラスシートを製造する各種工程を示している。図面の破線より下方の部分は、第１製造業者の顧客である第２製造業者の所在地でガラス製品（例えば自動車用ガラス、建築用ガラス、光電池用ガラス、ＯＬＥＤ用ガラス、鏡又は窓等）を製造する工程を示している。ただし、これに限定されるものではない。本発明の他の実施形態において第１及び／又は第２の所在地でそれより少ない又は更なる工程が実施され得ることが理解されよう。また、各種製造工程が第１ガラス製造業者の１つの所在地で実施されるように図示されてはいるが、第１ガラス製造業者の１以上の所在地で１以上の製造工程を実施してもよいし、あるいは第１ガラス製造業者の１以上の関連会社や系列会社が実施してもよいことが理解されよう。同様に、各種製造工程が第２ガラス製造業者（ガラスの二次加工業者）の１つの所在地で実施されるように図示されてはいるが、第２ガラス製造業者の１以上の所在地で１以上の製造工程を実施してもよいし、あるいは第２ガラス製造業者の１以上の関連会社や系列会社が実施してもよいことが理解されよう。更に、顧客は第１ガラス製造業者とは異なる第２ガラス製造業者（ガラスの二次加工業者）として説明されてはいるが、第２ガラス製造業者あるいは顧客は第１製造業者の事業部、傘下事業体又は系列会社であってもよいことが理解されよう。
【００１２】
図１に示すように、第１の製造業者は工場２でいわゆる「フロートガラス」又は連続のガラスリボン４を製造する。検出装置６（スキャナ等）を使用して、ガラスリボン４を欠陥の有無について分析又は検査する。更に、ガラスリボン４の属性もマッピングしてデータベース１０に格納する。この属性としては、例えば、ガラスの厚さ、ガラスの種類、製造年月日、製造時刻、製造場所、製造機械の整理番号、欠陥の数、欠陥の位置、欠陥の種類、欠陥の密度、欠陥の重症度基準、あるいはこれらの任意の組み合わせが挙げられる。ただし、これに限定されるものではない。ガラスリボン４のその他の属性をデータベース１０に格納してもよいことが理解されよう。更に、データベース１０は集中型であっても分散型であってもよく、１以上のサブデータベースを含んでもよいことが理解されよう。サブデータベースは、全てがメインデータベースに接続されてもよく、及び／又は既知の各種通信リンクを使用して相互接続されてもよい。データベース１０及び／又はサブデータベースは多様な形態を取ることができる。例えば、データベース及び／又はサブデータベースの各々は携帯記憶装置（例えばディスク及び／又はＣＤ−ＲＯＭ）の形態を取ってもよい。本明細書において「欠陥」という用語は、ガラスシートの欠点や傷を含めた、しかしそれらに限定されない、ガラスシートの任意の属性を包含するために幅広く用いられる。一実施形態において許容できない可能性のあるガラスの欠点が、別の実施形態では許容できると見なされる可能性のあることが理解されよう。
【００１３】
欠陥の有無を検査後に、切断装置７を使用してガラスリボン４を切断し、ガラスシート（マザーガラス）８を得る。許容できない又は基準若しくは仕様を外れると判断された欠陥を示すガラスリボン４の領域は、切断段階の間に取り除くことができる。例えば、実質的に無欠陥のガラスリボンの領域を切断してガラスシート８を得る一方で、欠陥のあるガラスリボン４の領域はスクラップガラスとして切り取ることができる。
【００１４】
検出装置６を含めたマッピング装置を、例えばガラスリボン４を走査し、且つ記憶装置に保持されたデータベース１０のガラスリボン４に存在し得る各欠陥の位置及び種類を記録することによって、属性マップを作成するために使用することができる。重症度基準もデータベース１０に記録される。一実施形態において、重症度基準はガラスの欠陥の重症度を提供するために第１製造業者によって導入される質的パラメータである。例えば、重症度基準は設定限界値よりも小さい隣接する欠陥間の距離として表現することができ、この限界値は製造業者（第１製造業者）により、又は第１製造業者の顧客（第２製造業者）により、又は独立した第三者により選択される。別の重症度基準は、例えば、ガラスシート１枚当たりの欠陥密度とともに設定される欠陥の大きさであることができる。この場合、更なる加工を行うためにガラスシートを顧客に送るための重症度基準限界値は、ガラスシートごとに約０．６の欠陥密度の約５ミリメートルのガラス欠陥の大きさでよく、又はガラスシートごとに約１の欠陥密度の約３ミリメートルのガラス欠陥の大きさでよい。重症度基準限界値はガラス製造業者（第１ガラス製造業者）によって設定されてもよいし、顧客（第２ガラス製造業者）によって又は第１製造業者又は第２製造業者から独立している第三者、例えば最終顧客（例えば、ガラスが自動車の窓等向けである場合には自動車製造業者、あるいは家屋／ビル用窓の製造業者、あるいはガラスを含む製品の他の製造業者）によって仕様として規定されてもよいことが理解されよう。
【００１５】
各マザーガラスに関する欠陥に関連した情報がデータベース１０に格納される。識別子１２、例えばバーコード、ＲＦＩＤチップ又は別の識別子が、各ガラスシートを識別するために使用される。識別子は、例えばインク又はレーザーでマーキングされる。或いは、本発明の他の実施形態では、ガラスシートをマーキング又は識別するために任意の他の識別手段を使用してもよい。一実施形態においては、識別子として、固有の一次元バーコード、固有の二次元バーコード、又は固有のデータマトリクス等を挙げることができる。データベース１０に格納された各ガラスシートの属性マップは、各ガラスシート上の識別子に関連付けられている。この関連付けは、例えばマッピング装置（スキャナ等）及びデータベース１０と通信するコンピュータシステム２１を使用して行うことができる。
【００１６】
識別子（プレート識別子等）は、フロートガラス製造業者の製造ライン上で読み取ることができる。一実施形態においては、製造現場とは外的条件が異なり得る（例えば多様で様々であり得る）顧客の環境でプレートの識別を行うことを保証するため、識別子のコード品質がフロートガラス供給者によって規定された基準で評価される。
【００１７】
属性マップは多様な形態を取ることができ、そして一般に、ガラスシートの各欠陥の位置と種類及び／又は重症度基準を含むファイル（１つ以上のサブファイルを含めた）、例えば電子ファイルを指すことが理解されよう。属性マップはまた、例えばガラスシートに関する情報（例としてガラス組成、製造年月日等）の追加情報を含むこともできる。属性マップはテーブル形式でもよいし、ガラスシートの欠陥のグラフィック表示でもよい。
【００１８】
一実施形態では、ガラスシートにおける欠陥位置及び欠陥の重症度基準を含めた各シートの属性は、ハードドライブ又はストレージサーバ等の記憶媒体内のデータベース１０に格納することができる。例えば、データベース１０はコンピュータシステム２１の一部であることができる。とは言え、その代わりに又はそれに加えて、属性は電子メモリ等に格納することもできる。一実施形態においては、ハードドライブ、ストレージサーバ、電子メモリ等を含めた記憶媒体を、通信リンクを介してデータベース１０と通信するコンピュータを使用して読み取ることができる。通信リンクは、直接の配線、インターネット（「クラウド」）、又はセルラーネットワーク等の無線ネットワークを介して構築することができる。
【００１９】
その後、得られたガラスシート８をガラスシートの積重体１４として配列する。このシート積重体１４は、ガラスシートのパレット１６として保管して更なる加工のため加工装置１８へ搬送することができる。加工装置１８は、工場２とは異なる所在地に配置されてもよい。一実施形態では、加工装置１８において、ガラスシート１６は「コータ」を使用して塗膜を被着することにより更に加工される。例えば、１枚以上のガラスシート上に少なくとも１つの導電塗膜又は誘電体塗膜を被着することができる。
【００２０】
加工装置１８における更なる加工後、ガラスシート１６を第２の検出装置（スキャナ等）２０によって更に分析又は検査することができる。一実施形態では、第２の検出装置２０はマッピング装置の一部である。装置２０によってガラスシート１６を分析することで、加工装置１８における加工中に発生した（例えば、コーティング工程の間に発生した）可能性のある更なる欠陥を検出することができる。
【００２１】
ガラスパイル１６のガラスシート８を更なる欠陥について分析できることに加えて、検出装置２０は更に各ガラスシート８の固有識別子を読み取ることができる。ガラスシートの積重体又はパイル１６の各ガラスシート８を識別することによって、装置２０によって検出された更なる欠陥は、シートに関連付けられた識別子にリンクさせて、加工装置１８における加工前に被覆されていなかった対応するガラスシートのその他の欠陥に追加することができる。したがって、一実施形態において、データベース１０は、コンピュータシステム２１を使用して各ガラスシートに関連する更なる欠陥に関する情報で更新される。
【００２２】
欠陥が、スキャナを使用する代わりに又はそれに加えて、インク又はレーザーエッチングを使用してマーキングされる場合、検出装置はインクの場所又はレーザーエッチングされたマークの位置を検出するためのカメラ等を含んでもよい。上述したように、一実施形態において、データベースはハードドライブ、ストレージサーバ、電子メモリ、又はこれらの任意の組み合わせに格納することができる。別の実施形態では、データベース１０は検出装置２０に備えられた又は連結された着脱式メモリ媒体に格納してもよい。
【００２３】
加工装置（コーティングユニット等）１８においてガラスパイル１６のガラスシート８を加工し、そして検出装置２０を使用してガラスパイル１６のガラスシート８を分析した後に、ガラスシート８を再び積重体２２として積み重ねて倉庫２４に保管する。倉庫２４は、加工装置１８とは異なる所在地又は同一の所在地にあることができる。一実施形態では、ガラスシート８はガラスシート８に存在する欠陥の情報に基づいて配置及び保管することができる。
【００２４】
その後、積み重ねて保管されたガラスシート８は、顧客即ち第２ガラス製造業者に搬送２６（例えば、トラック、列車、又は他の任意の搬送手段を利用して）することができる。顧客は、ガラスシート８の積重体２２を倉庫２４から受け取り、ガラスシートを更に加工してガラス製品を製造する。例えば、顧客はガラスシート８を切断し、所望の形状又は寸法のいくつかの個片にしてもよい。切断されるガラス片は同一の形状であってもよく、異なる形状であってもよい。同様に、切断されるガラス片は同一の寸法又は異なる寸法等であってもよい。
【００２５】
顧客側では、ガラス片の切断輪郭を規定するためにコンピュータシステム２８を使用することができる。コンピュータシステム２８は、例えば第２製造業者又は最終顧客（例えば自動車製造業者又は窓製造業者等）によって設定された規格から外れた欠陥が存在するために検査不合格となり再生利用されるガラスの量を最小限に抑えつつ、所望のガラス片を製造するように最適な切断を行うプログラムを実施することができる。プログラムは、切断手順を実行するための命令をコード化したコンピュータが解読できる手段で具現化される。
【００２６】
顧客又は第２製造業者は、読み取り装置を使用して識別子１２を読み取る。識別子１２を読み取ることで、顧客はデータベース１０にアクセスし、識別子１２に関連付けられたガラスシート８の属性に関する情報を検索することができる。一実施形態では、コンピュータシステム２８は、データベース１０にアクセスし、読み取り装置によって読み取られた識別子１２を有するガラスシート８の属性に関する情報を検索するように構成される。属性には、いくつかのパラメータに混じえて、欠陥の位置及び重症度基準が含まれる。一実施形態では、コンピュータシステム２８はデータベース１０に、インターネット等のネットワークを介して、又は専用通信回線を介して、又は無線通信（例えば移動体通信）を介して、アクセスすることができる。
【００２７】
一実施形態では、ガラスシートの属性に関する情報はフィルタ３０を使用して選別される。フィルタ３０は、コンピュータシステム２１によって、例えばコンピュータシステム２１のプロセッサによって、実行可能なコンピュータプログラムであってもよいことが理解されよう。フィルタ３０は、本発明の一実施形態ではコンピュータシステム２１内に存在することができる。或いは、フィルタ３０はコンピュータシステム２１とは分離されていてもよい。フィルタ３０のために、顧客はデータベース全体にアクセスするのではなく、データベースのうちガラスシート８の属性に関する選択された部分にのみアクセスする。顧客がアクセスできる情報の量は、フィルタ３０を使用して第１製造業者によって制御される。例えば、第２製造業者又は顧客がアクセス可能な情報の量又はレベルは、顧客が第１製造業者に支払う資金又は料金若しくは課金の量に応じて第１製造業者によって設定することができる。例えば、第１製造業者は、高レベル、中レベル及び低レベル（一実施形態において、例えばプラチナ、ゴールド及びシルバーと称される）の３つのアクセスレベル等の、複数のアクセスレベルを設定することができる。高レベル（プラチナ等）はデータベース内の最大量の情報へのアクセスを供与し、低レベル（シルバー等）はデータベース内の最小量の情報へのアクセスを供与する。例えば、顧客はより高い課金を支払うことによって、最高レベル（プラチナ等）にアクセスする権利を購入することができる。一方、顧客は、より少ない課金を支払うことによって低レベル（シルバー等）にのみアクセスする権利を購入することもできる。ここでは３つのレベルについて記載されているが、本発明の他の実施形態において任意の数のアクセスレベルを提供し得ることが理解されよう。
【００２８】
一実施形態では、顧客がシート積重体における各シートの属性マップの少なくとも一部を検索できるようにデータベース１０に対するアクセスレベルを当該顧客に提供する。具体的には、一実施形態において、コンピュータシステム２８には、所望のガラス片を製造するための最適化した切断手順を得るためにコンピュータシステム２８が属性マップのみを利用できるようにコンピュータが解読できる命令をコード化したコンピュータ製品、例えばコンピュータが解読できる媒体、が含まれる。しかし、このコンピュータが解読できる命令は、コンピュータシステム２８のユーザがコンピュータシステム２８によってアクセスされる属性マップ又は属性を検索し、保存し及び／又は表示するのを防止する。このようにして、顧客がガラスシートに関する欠陥情報を収集しデータマイニング又は統計的分析を行うことは防止される。
【００２９】
アクセスレベルに応じて、顧客にはデータベース１０に格納された情報のより大きい部分又はより小さい部分が提供される。一実施形態において、第１製造業者は、一定の課金又は料金を支払うことによって顧客が取得したアクセスレベルに従って対象とする顧客がアクセスできる特定のサブデータベースをデータベース１０から構築する。このサブデータベースは、フィルタ３０を使用して選別される情報を含む。したがって、フィルタ３０は、顧客が取得したアクセスレベルに従ってサブデータベースを提供するために、第１製造業者が設定することができる。
【００３０】
この実施形態では、顧客がデータベース１０に対して直接アクセスしないので、データベース１０内のデータは暗号化しなくともよい。実際のところ、顧客は、一定の課金を支払うことによって顧客が取得したアクセスレベルに従ってカスタマイズされたサブデータベースに格納されたデータに対してアクセスし読み取りを行うことだけができる。したがって、顧客はデータベース１０に格納されたデータ又は情報の全体を読み取ることができるのではなく、顧客が意図し又は顧客に提供される、あるいは顧客によってアクセスされるサブデータベースに格納されたデータ又は情報を読み取ることができるだけである。
【００３１】
別の実施形態では、顧客にデータベース１０へのアクセスを供与することができる。この場合、データベース１０内のデータは暗号化される。データベースの暗号化は、既知の任意の適切な暗号化アルゴリズムを使用して行うことができる。例えば、暗号化はコンピュータシステム２１の１以上のプロセッサを使用して行うことができる。顧客には、データベース１０に格納された特定のデータを読み取るための特定の鍵が提供される。この鍵が、顧客のみを対象とするデータを顧客が「解錠」し読み取るのを可能にする。顧客は、顧客を対象としないデータベースに格納された他のデータをこの鍵で読み取ることはできない。換言すれば、データベース１０内のデータへのアクセスは課金を支払うことで顧客が取得した所望のアクセスレベルに従って制限される。
【００３２】
鍵は、顧客に提供されるパスワード又は他の種類の識別子であってもよく、あるいは顧客（例えば切断手順を実行するように設計されたコンピュータシステム２８）がデータベース１０のデータにアクセスすることを可能とするコンピュータプログラム（又はコンピュータプログラムへのリンク）であってもよい。
【００３３】
これに代わる実施形態において、コンピュータシステム２８は、所望のガラス片を製造するための最適化した切断手順を提供するためコンピュータシステム２８のみが属性マップを利用できるようにコンピュータが解読できる命令をコード化したコンピュータ製品、例えばコンピュータが解読できる媒体、を含むこともできる。しかし、このコンピュータが解読できる命令は、コンピュータシステム２８のユーザがコンピュータシステム２８がアクセスする属性マップ又は属性を検索し、保存し及び／又は表示するのを防止する。このようにして、顧客がガラスシートに関する欠陥情報を収集しデータマイニング又は統計的分析を行うことは防止される。
【００３４】
図２は、本発明の一実施形態による、特定の顧客に特定のサブデータベースを提供する例を示す概略図である。ガラスシート８の属性はデータベース１０に格納される。一実施形態において、データベース１０は、例えば第１製造業者の異なる工場からの、複数のローカルデータベース１０Ａ、１０Ｂ及び１０Ｃを含むことができる。別の実施形態において、データベース１０は、ローカルデータベース１０Ａ、１０Ｂ及び１０Ｃと通信してそれらに格納されたデータを検索するように構成することができる。例えば、データベース１０は、複数のローカルデータベースにアクセスしてそれらに格納されたデータ属性を検索するように構成されたストレージサーバ内に存在することができる。データベース１０から複数のサブデータベース４１、４２及び４３を提供するため、第１製造業者がフィルタ３０を使用してもよい。サブデータベース４１には対象とする顧客５１のみがアクセス可能であり、サブデータベース４２には対象とする顧客５２のみがアクセス可能であり、サブデータベース４３には対象とする顧客５３のみがアクセス可能である。フィルタ３０は、顧客５１、５２及び５３の各々が取得したデータアクセスレベルに従って設定することができる。例えば、フィルタ３０はレベル１に設定されてレベル１のデータ（例えばシルバー）を含むサブデータベース４１を提供することができ、レベル２に設定されてレベル２のデータ（例えばゴールド）を含むサブデータベース４２を提供することができ、またレベル３に設定されてレベル３のデータ（例えばプラチナ）を含むサブデータベース４３を提供することができる。例えば、レベル１（例えばシルバー）は、属性に関するデータの第１の限定された部分を含むサブデータベース４１を作成することができる。例えばレベル１では、サブデータベース４１は欠陥の位置のみを含み、欠陥の大きさ又は形状等の欠陥の特性を含まなくてよい。例えばレベル２では、サブデータベース４２は、欠陥の位置に加えて、欠陥の大きさ及び欠陥の形状を含むことができる。例えばレベル３では、サブデータベース４３は、欠陥の位置、欠陥の大きさ及び形状に加えて、重症度基準等を含むことができる。したがって、レベル３は、データベース１０内のより多くの情報及びデータに対するアクセスを供与するより高いアクセスレベルとなる。
【００３５】
一実施形態において、サブデータベース４１、４２及び４３は、それぞれの顧客５１、５２及び５３がデータベース４１、４２及び４３に格納されたデータに関して統計的分析を行うことができないように暗号化することができる。例えば、顧客５１には、データベース４１に格納されたデータを切断目的のみに利用する限りにおいて読み取ることができ、サブデータベース４１に格納されたデータの分析を行いガラスシート８内の属性（例えば欠陥）に関する統計的情報の統計的分析及び抽出を行うことはできないようにすることができる。例えば、顧客のコンピュータシステムに、顧客が最適化切断手順を提供するためにデータベース（例えば４１、４２又は４３）に格納されたデータを読み取るのは可能にするがコンピュータシステム２８のユーザが属性マップを検索し、保存し及び／又は表示するのを防止するコンピュータが実施できる命令をコード化したコンピュータ製品、例えばコンピュータが解読できる媒体、を含めることができる。
【００３６】
一実施形態において、データベースに格納されたデータ即ち切断しようとする各ガラスシートの属性を含むデータに基づいて、切断又は切断レイアウトの作成が最適化される。切断レイアウトの作成は、第１製造業者か、顧客又は第２製造業者か、又は第１製造業者及び第２製造業者から独立している第三者のいずれかが行うことができる。一実施形態において、この第三者は、例えば切断装置を製造するか又はガラスシートを切断するための工具を製造する会社であることができる。
【００３７】
切断レイアウトが第１製造業者側で最適化又は作成される場合、第１製造業者はデータベース１０全体にアクセスできるため、データベースを暗号化する必要はない。この場合、第１製造業者は、製造する必要があるガラス片の仕様（寸法、形状等）を第２製造業者から受け取ることができる。第１製造業者は、形状及び寸法を制約として使用し且つまた欠陥位置等を含むガラスシートの属性を使用して、顧客が切断を行うことができるようにレイアウトを作成し、そしてレイアウトに従って個片を切り取り又はレイアウトをファイルとして顧客に送ることができる。
【００３８】
しかし、切断レイアウトが第２製造業者側又は第三者側のいずれかで作成される場合、データベース１０に格納されたデータにアクセスされないこと、又は顧客（第２製造業者）又は第三者によって支払いがなされたデータのみが顧客（第２製造業者）又は第三者に提供されることを保証するため、データベース１０は暗号化される。この場合、第１製造業者は単に、顧客が購入した属性を切断レイアウトを作成するためにデータをその後利用する顧客又は第三者事業体に提供するだけである。
【００３９】
一実施形態において、ガラスシート８における欠陥の位置に従ってガラスシート８を切断するためのレイアウトを決定するためのプログラムは、第１製造業者側、顧客側、又は第三者側で導入することができる。例えば、プログラムは顧客側のコンピュータシステム２８に導入することができる。本発明の実施形態によるガラスシート８を切断するためのプログラムは、以下の段落においてより詳細に説明される。
【００４０】
最適切断レイアウトを作成後、コンピュータシステム２８が各ガラスシート８に対して選定した切断レイアウトに従ってガラスシートを切断３２する。一実施形態において、ガラスシート８を切断後に得られるガラス片は、洗浄機３４を使用して洗浄することができる。洗浄した切断ガラス片は、第３検出装置３６によって任意選択的に分析し、その後組み立てのために、例えば自動車用の窓若しくはフロントガラスとして又は建造物等の窓ガラスとして取り付けるために、発送することができる。自動車用のフロントガラスでは、２つの切断ガラス片の間に例えばＰＶＢタイプの熱可塑性中間層を被着しながら２つのガラス片を曲げ加工し貼り合わせる。
【００４１】
一実施形態では、切断レイアウトは、データベース１０に格納された欠陥に関する情報に基づいて各ガラスシートに対して動的に作成される。一実施形態では、線形最適化を利用して切断レイアウトを得ることができる。
【００４２】
図３は、各種欠陥の目録を作成したガラスシート８の例を示している。例えば、欠陥としては、塗膜の「ピンホール」欠陥６１、気泡欠陥６０、ガラスの引っ掻き傷欠陥６２、表面欠陥６３等の様々な種類を挙げることができる。例えば、単一ガラスシートに対する最適切断レイアウトを、同一サイズのガラス片が得られるように作成することができる。例えば、ガラスシートは、切り取るべきガラス片（又は「プリミティブ」）において許容できない単一タイプ及び単一サイズの欠陥を有する。
【００４３】
この例では、レイアウトは線形最適化によって作成される。具体的には、変数に対する一次関数である制約を表す凸多面体に関する線形関数について最適化問題を反復的に解くことによって、切断レイアウトが作成される。この例では線形最適化を利用しているが、他の種類の最適化方法を利用してもよい。線形最適化を利用する一つの利点は、その計算速度である。
【００４４】
一実施形態において、線形関数を使用することの目標は、少なくとも１つの欠陥を含むプリミティブの数を表す関数を最小限にすることである。別の実施形態において、この関数は、切断レイアウトにおけるガラス片の数を表す及び／又は切断ガラス片の１つ以上の寸法の和、切断ガラス片の全表面積、あるいは切断ガラス片の小売原価の和等を表す値を提供する。
【００４５】
例えば、一実施形態において、業界において「プリミティブ」とも呼ばれる切断レイアウトにおける切断すべきガラス片の形状は、図４に示すように、長方形でよい。しかし、理解されるとおり、切断すべきガラス片は、図５に示すように、多角形、円形、楕円形又は他の任意のより複雑な形状等の、任意の所望の形状を有することができる。例えば、図５に示すように、切断すべきガラス片の全体的な形状は多角形である一方で、ガラス片は丸味を帯びた又は曲線状の縁を有してもよい。
【００４６】
各プリミティブ（例えば長方形の形状を有する）ごとに、２つの変数及び２つのパラメータを使用してマザーガラス又はガラスシート８内でプリミティブの位置を決定する。本例では、これらの長方形は、長方形の長さ方向がマザーガラス又はガラスシート８の長さ方向に平行となる同一の幾何学的配置を有する。
【００４７】
一実施形態では、図４に示すように、各プリミティブｉの左下隅の横座標ｘi,ini及び縦座標ｙi,iniを変数として選択して、マザーガラス８内の各プリミティブの長方形の位置を表すことができる。別の実施形態では、マザーガラス８内のプリミティブの位置を表すための変数としてプリミティブの別の点を選択することができる。更に別の実施形態では、最適化の際にプリミティブを回転させることができるように、他の変数、例えば基準に対するプリミティブの角度など、を使用してもよい。
【００４８】
長方形の長さと幅は、被切断片の左下隅の座標、左上隅の縦座標ｙi,end及び右下隅の横座標ｘi,endに基づいて計算することができる。とは言え、長方形の長さと幅を計算するために方位等の任意の適切な基準を使用してもよい。
【００４９】
一実施形態では、２つのプリミティブ間の交差の制約を追加することができる。この例において、２つのプリミティブの制約“Ｉｎｔｅｒｓｅｃｔｉｏｎ（ｉ，ｊ）”は２つのプリミティブが重なり合う場合には１となり、重なり合わない場合には０となる。これらの値は“ｎ×ｎ”マトリクスに格納することができ、ここでのｎはシートから切断される所望のプリミティブの数に対応する整数である。
【００５０】
一実施形態において、Ｉｎｔｅｒｓｅｃｔｉｏｎ（ｉ，ｊ）は４つの制約を有する。これらの４つの制約は数学的に以下のように表現することができる。
【００５１】
【数１】
2018055696.tif 000003
【００５２】
制約Ｉｎｔｅｒｓｅｃｔｉｏｎ（ｉ，ｊ）＝０となるためには、４つの制約のうちの少なくとも１つを満足しなければならない。
【００５３】
一実施形態において、関数の値はｎ行×ｍ列のマトリクスを作成することにより計算され、ここでのｍは欠陥数に対応する整数、ｎはプリミティブ数に対応する整数である。一実施形態において、各欠陥は、例えばプリミティブと同じように即ちｘi,ini、ｙi,ini、ｘj,end及びｙj,endでその位置が決定される長方形によって規定される。しかし、プリミティブと同様に、欠陥を規定する長方形は、例えば多角形等の任意の形状でもよい。
【００５４】
プリミティブの長方形ｉが欠陥の長方形ｊと交差する場合には関数Ｄｅｆｅｃｔ（ｉ，ｊ）＝１となり、その逆の場合には、制約Ｉｎｔｅｒｓｅｃｔｉｏｎ（）について上記の４つの不等式のうち少なくとも１つを満足することで、Ｄｅｆｅｃｔ（ｉ，ｊ）＝０となる。
【００５５】
Ｄｅｆｅｃｔ（ｉ，ｊ）は制約ではなく、最大化しようとする目的関数を計算する際に使用される値である。一実施形態において、コンピュータは各プリミティブＩに対して
【００５６】
【数２】
2018055696.tif 000004
【００５７】
を計算し、この式のｊは欠陥を表し、ｉはプリミティブを表す。サイズがｎの表をＩｓＧｏｏｄ（ｉ）の値に従って作成する。
【００５８】
【数３】
2018055696.tif 000005
【００５９】
目的関数、すなわち、
【００６０】
【数４】
2018055696.tif 000006
【００６１】
が、最大化すべき関数である。
【００６２】
このプログラムを実現するために、シンプレックスアルゴリズムを利用した線形解法を使用することができる。初めに、初期切断レイアウトをメモリに記録する。最適化すべき関数が第１の初期化ステップの間に計算されるこの初期切断レイアウトに基づいて、反復が行われる。理解されるとおり、線形計画法は、動的計算によって最適切断レイアウトを作成するための数あるプログラミング技術のうちの実現可能な一つにすぎない。この動的計算は、制約の影響を受けるいくつかの変数の関数を最大化又は最小化することができる。しかし、制約に基づいた関数及び方程式は線形でなくてもよい。
【００６３】
別の実施形態において、プリミティブ８は多様な大きさでよく及び／又は多様な方位を有してもよい。一実施形態において、長方形形状を有するプリミティブに対して、長方形形状の大きさ及び方位角を決定するための変数として、左下隅の座標（ｘi,ini，ｙi,ini）に加えて、長さと幅も使用することができる。
【００６４】
最適切断レイアウトは、多様なガラスシートに各種プリミティブを配置することによって作成することもできる。ここでのガラスシート８（複数）は、例えば、隣接していて、且つ単一のガラスシートの輪郭を画定しているものと見なされる。この場合、ガラスシート８間の接合部のあるプリミティブ間の重なりは、例えば、ガラスシート８間の接合部とプリミティブとの重なりを禁止制約と見なすことによって禁止される。これは、多様な大きさのプリミティブがこれらの各種プリミティブの分布に関するガイドラインに従って作られる場合に該当し得る。ガイドラインへの追従は、例えば、目的関数に組み込まれるか、又は付加的な制約と見なされる。
【００６５】
更に別の実施形態において、最適化は、欠陥を許容するためのいくつかの許容基準に関して行うことができる。この場合、各種のプリミティブごとの欠陥の種類及びこれらの欠陥の容認を、パラメータとしてプログラムにより勘案することができる。Ｄｅｆｅｃｔ（ｉ，ｊ）は、これらのパラメータに基づいて計算される。例えば、Ｄｅｆｅｃｔ（ｉ，ｊ）の値は、対象となるプリミティブについて容認できる種類の欠陥と交差する場合に０に等しい。容認の基準は、各種ガラス片ごと及び／又は各種マザーガラスごとに異なってもよい。
【００６６】
図６Ａは、欠陥６１及び６３がガラス片について容認できると見なすことができる一方、欠陥６０及び６２は被切断ガラス片のいずれかにとっても容認できない可能性のある最適切断レイアウトの例を示している。一実施形態において、プリミティブは欠陥の異なる容認基準に対応するいろいろなゾーンに分割される。このようにして、最適切断レイアウトを、被切断片の各種ゾーンについての異なる欠陥容認基準に応じて設定することができる。この手順を利用して、寸法の大きなガラスシートから又は複数のガラスシートの一群からガラス片を切り出すための処理を更に最適化することができる。実際に、欠陥に関する情報（例えば位置、大きさ等）に基づいて、被切断片の領域内の欠陥位置に従って不合格又は合格にすべき欠陥を判別することが可能である。
【００６７】
一実施形態における、上述の方法に従った最適切断レイアウトの作成を以下の段落においてより詳細に説明する。図６Ｂは、被切断ガラス片又はプリミティブの内部で互いの内側に配置された（同心配置された）複数の容認ゾーン（長方形等）内の各種欠陥を示している。プリミティブｚ０内のそれぞれのゾーンｚ１及びｚ２の位置は、例えばプリミティブｚ０の左下隅を基準としたそれぞれのゾーンｚ１及びｚ２の左下隅の相対座標、それぞれのゾーンｚ１及びｚ２の長さと幅などの、４つのパラメータによって規定することができる。これらの４つのパラメータを使用して、横座標ｘi,z1,iniと縦座標ｙi,z1,iniの座標（ゾーンｚ１に関する）、左上隅の縦座標ｙi,z1,endと右下隅の横座標ｘi,z1,endを計算することができる。同様に、横座標ｘi,z2,iniと縦座標ｙi,z2,iniの座標（ゾーンｚ２に関する）、左上隅の縦座標ｙi,z2,end及び右下隅の横座標ｘi,z2,endも計算することができる。２つのゾーン１及びｚ２がプリミティブｚ０内に図示されているが、任意の数のゾーン（即ち１つ以上のゾーン）を使用してもよい。
【００６８】
欠陥がゾーン（例えばｚ１、ｚ２等）のうちの少なくとも１つに位置しているか否かを判断するために、前述の“Ｄｅｆｅｃｔ”関数を以下のように適合させてもよい。各種ゾーン（例えばｚ１、ｚ２等）に対して欠陥を許容するための容認基準を、各ゾーンの付加パラメータとして規定することができる。加えて、欠陥に大きさ又は種類（気泡、引っ掻き傷等）などのパラメータを割り当ててもよい。このようにして、欠陥をパラメータに従ってゾーンごとに違ったふうに容認することができる。しかし、各ゾーンが考慮に入れた全ての欠陥を許容するかそれとも許容しないという最も単純な場合には、上記大きさ及び種類のパラメータは必要としなくてもよい。
【００６９】
例えば、ＤｅｆｅｃｔＰｏｓｉｔｉｏｎ関数を例えばゾーンｚ１に対して設定することができる。ＤｅｆｅｃｔＰｏｓｉｔｉｏｎ（ｉ，ｚ１，ｊ）は、プリミティブの交差を説明する際に上記の段落で提示した不等式と同様な４つの不等式のうち少なくとも１つを確認することで、ゾーンｚ１の長方形が欠陥ｊの長方形と交差する場合に１に設定され、その逆の場合には０に設定される。この関数は、ゾーンに欠陥の存在することを確認する。ＤｅｆｅｃｔＰｏｓｉｔｉｏｎ（ｉ，ｚ１，ｊ）が１に等しい場合、ゾーンｚ１に関する容認基準がこの欠陥に適合するか否かが判断される。適合する場合にはＤｅｆｅｃｔＺｏｎｅ（ｉ，ｚ１，ｊ）＝０が得られ、その逆の場合にはＤｅｆｅｃｔＺｏｎｅ（ｉ，ｚ１，ｊ）＝１が得られる。この手順が、プリミティブｚ０内部のゾーンｚ１，ｚ２，……の各ゾーンに対して実施される。
【００７０】
以下の式を得ることができる。
【００７１】
【数５】
2018055696.tif 000007
【００７２】
その後、プログラムは目的関数の計算を上述の方法と同じようにして進める。例えば、欠陥の大きさ又は種類に関して判別を行うために、ＤｅｆｅｃｔＴｙｐｅ（）及びＤｅｆｅｃｔＳｉｚｅ（）の計算を、ＤｅｆｅｃｔＰｏｓｉｔｉｏｎ（ｉ，ｚ１，ｊ）＝１である場合に行うことができ、例えば、ＤｅｆｅｃｔＴｙｐｅ（ｉ，ｚ１，ｊ）はゾーンｚ１及びｚ０について許容されない種類の場合には＝１、その逆の場合には０となり、ＤｅｆｅｃｔＳｉｚｅ（ｉ，ｚ１，ｊ）はゾーンｚ１及びｚ０について許容されない種類の場合には１、その逆の場合には０となる。
【００７３】
具体的には、ゾーンｚ１の内部の欠陥部分のみに関して大きさを確認することも可能である。ＤｅｆｅｃｔＴｙｐｅ（ｉ，ｚ１，ｊ）＝１又はＤｅｆｅｃｔＳｉｚｅ（ｉ，ｚ１，ｊ）＝１の場合には、ＤｅｆｅｃｔＺｏｎｅ（ｉ，ｚ１，ｊ）＝１であり、その逆の場合にはＤｅｆｅｃｔＺｏｎｅ（ｉ，ｚ１，ｊ）＝０である。
【００７４】
その後、プログラムは目的関数の計算を上述の方法と同じようにして進める。更に、先に説明したように、本発明の多様な態様を多数のガラス製造プロセスに適用することができる。
【００７５】
認められるとおりに、図１に示した方法を任意の適切な種類の製造プロセスに一般化することができる。欠陥分析の工程の数は、ここで例示された工程に限定されず、各種製造での設定において必要に応じて任意の数の工程を包含する。
【００７６】
マザーガラス又はガラスシート８を識別し且つインク又はレーザーを使用して欠陥をマーキングすることによって、シートの識別及び欠陥のマーキングを個別に又は同時に行うことができる。例えば、検出装置をマザーガラスを識別するための１つ以上の読み取り装置と一緒に設けてもよい。
【００７７】
一実施形態において、識別子１２はマザーガラス又はガラスシート８のへりに設けることができる。このようにして、ガラスシートが一緒に積み重ねられている場合にも、ガラスシート８の識別子１２を読み取ることができる。
【００７８】
一実施形態では、各マザーガラス又はガラスシート８を識別し、欠陥に関する情報を格納するためのデータベースを備えるよりも、欠陥それ自体に又は欠陥付近に所定の色のインク、文字又は記号で欠陥のマーキングをしてもよい。その後、顧客は、欠陥の様々な種類、欠陥の大きさ及び位置を識別することができ、そして切断レイアウトを最適化するためのプログラムに有用な欠陥に関する情報を発生させることができる。
【００７９】
一実施形態では、切断の最適化又は切断レイアウトの作成は、顧客側又は第２製造業者で行われる。しかしながら、理解されるとおりに、切断の最適化又は切断レイアウトの作成はマザーガラスの製造業者（例えば第１製造業者）で行われてもよい。とは言え、この場合、第１製造業者は被切断ガラス片の関連情報（例えば大きさ、形状等）を、例えば第２製造業者（即ち顧客）から又は最終顧客（例えば自動車用フロントガラス又は建造物若しくは構造物用の窓ガラスの製造業者）から得なくてはならない。
【００８０】
例えば、マザーガラス製造業者で切断の最適化を行うことで、例えば多様な顧客向けのマザーガラスをグループ化することによって、より多数のマザーガラスについて切断の最適化を行ってもよい。このようにして、マザーガラスを各顧客の仕様に従って各顧客に送る代わりに、最適化の結果に従ってマザーガラスを切断し各顧客に発送してもよい。
【００８１】
一実施形態において、ガラスシートの切断は、まずガラスシート８の幅に沿って垂直に行われ、次にガラスシート８の長さに沿って水平に行われる。別の実施形態において、切断は、まずガラスシート８の長さに沿って水平に行われ、次にガラスシート８の幅に沿って垂直に行われる。更に別の実施形態において、切断は、最適化した切断レイアウトが満足される限り、いかなる方向に行ってもよい。
【００８２】
上記の段落から理解されるように、ガラスの欠陥を識別する方法が提供される。図７は本発明の一実施形態による、該方法のフローチャートを示している。この方法は、Ｓ１０で、識別装置を使用して複数のガラスシートの各々を識別子で識別することと、Ｓ１２で、マッピング装置を使用して複数のガラスシートの各々についてガラスの属性マップを作成することを含んでいる。この方法は更に、Ｓ１４で、コンピュータシステムを使用して複数のガラスシートの各々の属性マップを複数のガラスシートのうちの対応する各ガラスシートの識別子に関連付けることと、Ｓ１６で、ガラスシートの各々のガラス属性マップをデータベースに格納することと、Ｓ１８で、データベース内の情報へのアクセスレベルを顧客に供与し、顧客が取得したガラスシートの属性マップの少なくとも一部を当該顧客が検索できるようにすることを含んでいる。
【００８３】
一部の実施形態では、本発明の実施形態に従って方法を実行するためのアプリケーションプログラムを、パーソナルコンピュータ又はコンピュータサーバ等のコンピュータ内の、又は複数のコンピュータを含む分散型計算環境のプログラム製品として具現化することができる。コンピュータとしては、例えば、デスクトップコンピュータ、ラップトップコンピュータ、ＰＤＡ等の手持ちサイズのコンピュータデバイス等を挙げることができる。コンピュータプログラム製品としては、命令が格納されており、上述の方法を実行するようにコンピュータをプログラミングするために使用されるコンピュータ可読媒体又は記憶媒体を挙げることができる。好適な記憶媒体の例として、フロッピー（登録商標）ディスク、光ディスク、ＤＶＤ、ＣＤ−ＲＯＭ、光磁気ディスクを含むあらゆる種類のディスク、ＲＡＭ、ＥＰＲＯＭ、ＥＥＰＲＯＭ、磁気又は光カード、ハードディスク、フラッシュカード（例えばＵＳＢフラッシュカード）、ＰＣＭＣＩＡメモリカード、スマートカード、又はその他の媒体が挙げられる。或いは、インターネット、ＡＴＭネットワーク、広域ネットワーク（ＷＡＮ）又はローカルエリアネットワーク等のネットワークを介して、リモートコンピュータシステム又はコンピュータサーバからコンピュータプログラム製品の一部又は全部をダウンロードしてもよい。
【００８４】
１つ以上のコンピュータ可読媒体に格納されたプログラムとしては、汎用のハードウェア又は専用のコンピュータ若しくはプロセッサの両者を制御するためのソフトウェアを挙げることができる。このソフトウェアはまた、コンピュータ又はプロセッサがグラフィカルユーザインタフェース、ヘッドマウントディスプレイ（ＨＭＤ）等の出力装置を介してユーザと情報をやりとりすることも可能にする。ソフトウェアは、デバイスドライバ、オペレーティングシステム及びユーザアプリケーションを含んでもよいが、含むことができるのはこれらに限定されない。
【００８５】
或いは、コンピュータで具現化されるコンピュータプログラム製品（例えばソフトウェアアプリケーション製品）として上述の方法を実現する代わりに又はそれに加えて、上述の方法は、例えば特定用途向け集積回路（ＡＳＩＣ）を設計して本発明の方法を実施することができるハードウェアとして実現することができる。
【００８６】
上記の段落では方法のいろいろな工程を特定の順序で行うものとして説明してはいるが、本願はいろいろな工程を行う順序によって拘束されない。実際に、他の実施形態においては、各種工程を上述の順序とは異なる順序で行うことができる。
【００８７】
本発明を現時点において最も実用的且つ好ましい実施形態と考えられるものに基づき例示を目的として詳細に説明してきたが、そのような詳細は専らその目的のためだけのものであること、及び本発明は開示された実施形態に限定されないだけでなく、添付の特許請求の範囲の精神及び範囲内にある改変及び等価の構成を包含することを意図するものであることを理解されたい。例えば、本発明は、可能な範囲内で、任意の実施形態の１以上の特徴を他の任意の実施形態の１以上の特徴と組み合わせてもよいことを意図していることを理解されたい。
【００８８】
更に、多数の改変及び変更を当業者が容易に思いつくことから、本発明をここで説明した構成及び操作に厳密に限定することは求められない。したがって、全ての適切な改変及び等価の構成は本発明の精神及び範囲内にあるものと見なされるべきである。
【図１】
2018055696.tif 000008
【図２】
2018055696.tif 000009
【図３】
2018055696.tif 000010
【図４】
2018055696.tif 000011
【図５】
2018055696.tif 000012
【図６Ａ】
2018055696.tif 000013
【図６Ｂ】
2018055696.tif 000014
【図７】
2018055696.tif 000015
【手続補正書】
【提出日】平成29年11月20日(2017.11.20)
【手続補正１】
【補正対象書類名】明細書
【補正対象項目名】００８８
【補正方法】変更
【補正の内容】
【００８８】
更に、多数の改変及び変更を当業者が容易に思いつくことから、本発明をここで説明した構成及び操作に厳密に限定することは求められない。したがって、全ての適切な改変及び等価の構成は本発明の精神及び範囲内にあるものと見なされるべきである。
本発明の代表的態様としては、以下を挙げることができる：
《態様１》
ガラスの欠陥を識別する方法であって、
識別装置を使用して、複数のガラスシートの各々を識別子で識別すること、
マッピング装置を使用して、前記複数のガラスシートの各々についてガラス属性マップを作成すること、
コンピュータシステムを使用して、前記複数のガラスシートの各々の前記属性マップを当該複数のガラスシートのうちの対応する各ガラスシートの識別子に関連付けること、
前記複数のガラスシートの各々の前記ガラス属性マップをデータベース内に格納すること、及び
前記データベース内の情報へのアクセスレベルを顧客に供与し、当該顧客が取得した前記ガラスシートの前記属性マップのうちの少なくとも一部を当該顧客が検索できるようにすること、
を含むガラス欠陥の識別方法。
《態様２》
前記データベースを暗号化し、そして前記顧客が取得した前記ガラスシートに関連付けられ格納された前記属性マップの統計的データ処理を当該顧客が行うことを防止しつつ当該顧客が供与された前記アクセスレベルに従って前記データベース内のデータにアクセスできるようにする鍵を前記顧客に提供することを更に含む、態様１に記載の方法。
《態様３》
前記アクセスレベルを前記顧客に供与することが、前記データベース内のデータをフィルタリングして、取得されたガラスシートに対応するフィルタリングされたデータを前記顧客に提供するとともに、前記フィルタリングされたデータを含む前記データベースの一部のみへ前記顧客にアクセスさせることを含む、態様１に記載の方法。
《態様４》
前記フィルタリングされたデータを含む前記データベースの一部へアクセスさせる前に、前記フィルタリングされたデータを暗号化することを更に含む、態様１又は３に記載の方法。
《態様５》
前記フィルタリングが、前記データベース内のデータをフィルタリングして、前記顧客が支払った課金に応じて取得したガラスシートに対応するフィルタリングされたデータを当該顧客に提供することを含む、態様３に記載の方法。
《態様６》
顧客が支払った課金に応じた前記データベース内の情報への複数のアクセスレベルを設定することを更に含む、態様１から５の何れかに記載の方法。
《態様７》
前記属性が、ガラスシートの厚さ、ガラスの種類、製造年月日、製造時刻、製造場所、製造機械、又はそれらの任意の組み合わせを含む、態様１から６の何れかに記載の方法。
《態様８》
前記識別子が、固有の一次元バーコード、固有の二次元バーコード、又は固有のデータマトリクスを含む、態様１から７の何れかに記載の方法。
《態様９》
前記複数のガラスシートの各々を識別することが、前記識別子で前記ガラスシートの各々をマーキングすることを含む、態様１から８の何れかに記載の方法。
《態様１０》
前記マーキングすることがレーザーを使用してマーキングすることを含む、態様９に記載の方法。
《態様１１》
前記属性マップを作成することが、スキャナを使用して前記複数のガラスシートの各々を走査し、そして各欠陥の位置と種類を前記データベースに記録することを含む、態様１から１０の何れかに記載の方法。
《態様１２》
前記ガラスの属性マップが、欠陥の大きさ、欠陥の位置、欠陥の種類、欠陥の密度、欠陥の重症度基準、あるいはそれらの任意の組み合わせを含む、態様１１に記載の方法。
《態様１３》
前記重症度基準が設定限界値よりも小さい隣接する欠陥間の距離を含む、態様１２に記載の方法。
《態様１４》
前記重症度基準が、前記ガラスシート内のガラス層内若しくは前記ガラスシート上の塗膜層内の欠陥の位置、又はこれらの組み合わせを含む、態様１２に記載の方法。
《態様１５》
前記重症度基準が１と１０の間の段階又は０と１の間の段階を尺度とする、態様１２に記載の方法。
《態様１６》
加工のために前記顧客にガラスシートを送るための容認できる重症度基準限界値が、シートごとに約０．６の密度の約５ミリメートルのガラス欠陥の大きさであり、又はシートごとに約１の密度の約３ミリメートルのガラス欠陥の大きさである、態様１２に記載の方法。
《態様１７》
前記複数のガラスシートの各々に塗膜を塗布することを更に含む、態様１から１６の何れかに記載の方法。
《態様１８》
前記複数のガラスシートの各々を走査して、前記ガラスの属性マップを前記塗膜と関連付けられた情報で更新することを更に含む、態様１７に記載の方法。
《態様１９》
前記顧客の読み取り装置によって前記複数のシートのうちの第１のシートの識別子を読み取り、そして当該第１のシート及び前記複数のシートのうちの他のシートの属性マップを前記データベースから検索することを更に含む、態様１から１８の何れかに記載の方法。
《態様２０》
前記複数のガラスシートを顧客へ搬送するためガラスシート積重体として配列することを更に含む、態様１から１９の何れかに記載の方法。
《態様２１》
前記積重体内の各シートの順序を前記データベースに記録することを更に含む、態様２０に記載の方法。
《態様２２》
ガラスの欠陥を識別するシステムであって、
顧客によって加工される複数のガラスシートの各々を識別子で識別するように構成された識別装置、
前記複数のガラスシートの各々についてガラスの属性マップを作成するように構成されたマッピング装置、
前記複数のガラスシートの各々の前記属性マップを前記複数のガラスシートのうちの対応する各ガラスシートの識別子に関連付けるように構成されたコンピュータシステム、及び
前記ガラスシートの各々の前記ガラスの属性マップを格納するように構成されたデータベース、
を含み、
前記データベースの少なくとも一部は、前記顧客が取得した前記ガラスシートの前記属性マップの少なくとも一部を当該顧客が検索できるように、前記データベース内の情報への所定のアクセスレベルに従って当該顧客がアクセスすることが可能である、ガラス欠陥の識別システム。
《態様２３》
前記データベースが暗号化されており、且つ供与された前記アクセスレベルに従って前記データベース内のデータへアクセスすることが鍵を使用してできるようにされて、前記顧客が取得した前記ガラスシートに関連付けられ格納された前記属性マップの統計的データ処理を当該顧客が行うことを防止している、態様２２に記載のシステム。
《態様２４》
前記データベース内の前記データをフィルタリングして、取得された前記ガラスシートに対応するフィルタリングされたデータを前記顧客に提供する、態様２２又は２３に記載のシステム。
《態様２５》
前記フィルタリングされたデータを暗号化する、態様２４に記載のシステム。
《態様２６》
前記データベース内のデータを前記顧客が支払った課金に応じてフィルタリングする、態様２４に記載のシステム。
《態様２７》
前記顧客が支払った課金に応じて前記データベース内の情報への複数のアクセスレベルを設定する、態様２２から２６の何れかに記載のシステム。
《態様２８》
前記ガラスの属性マップが、欠陥の大きさ、欠陥の位置、欠陥の種類、欠陥の密度、又は欠陥の重症度基準、あるいはそれらの任意の組み合わせを含む、態様２２から２７の何れかに記載のシステム。
《態様２９》
前記重症度基準が設定限界値よりも小さい隣接する欠陥間の距離を含む、態様２８に記載のシステム。
《態様３０》
前記重症度基準が、前記ガラスシート内のガラス層の内部若しくは前記ガラスシート上の塗膜層の内部の欠陥の位置、あるいはそれらの組み合わせを含む、態様２８に記載のシステム。
《態様３１》
ガラスシート用の切断レイアウトを作成する方法であって、
第１製造業者に関連付けられたデータベース内の情報に、第２製造業者に関連付けられたコンピュータシステムによってアクセスし、このデータベースはガラスシート内の１以上の欠陥の位置を含むガラスシートの属性を格納しており、第２製造業者により第１製造業者に支払われた課金又は料金に応じて、アクセスされる前記情報の量を第１製造業者に関連付けられたコンピュータシステムによって設定すること、及び
第２製造業者に関連付けられたコンピュータシステムによって前記情報を処理して、所望の切断レイアウトを作成するための最適化した切断手順を提供すること、
を含む、ガラスシート用切断レイアウトの作成方法。
【手続補正２】
【補正対象書類名】特許請求の範囲
【補正対象項目名】全文
【補正方法】変更
【補正の内容】
【特許請求の範囲】
【請求項１】
ガラスの欠陥を識別する方法であって、
識別装置を使用して、複数のガラスシートの各々を識別子で識別すること、
マッピング装置を使用して、前記複数のガラスシートの各々についてガラスの属性マップを作成すること、
コンピュータシステムを使用して、前記複数のガラスシートの各々の前記属性マップを当該複数のガラスシートのうちの対応する各ガラスシートの識別子に関連付けること、
前記複数のガラスシートの各々の前記ガラスの属性マップを、顧客のコンピュータによりインターネット又は何らかの無線ネットワークを介してアクセス可能なデータベース内に格納すること、及び
前記データベース内の情報へのアクセスレベルを顧客に対して設定し、当該アクセスレベルに従って、当該顧客が取得した前記ガラスシートの前記属性マップのうちの少なくとも一部をガラスの欠陥の識別のため当該顧客がそのコンピュータにより検索できるようにすること、
を含むガラス欠陥の識別方法。
【請求項２】
前記データベースを暗号化し、そして前記顧客が取得した前記ガラスシートに関連付けられ格納された前記属性マップの統計的データ処理を当該顧客が行うことを防止しつつ当該顧客が供与された前記アクセスレベルに従って前記データベース内のデータにアクセスできるようにする鍵を前記顧客に提供することを更に含む、請求項１に記載の方法。
【請求項３】
前記アクセスレベルに応じて、前記データベース内のデータをフィルタリングして、取得されたガラスシートに対応するフィルタリングされたデータを前記顧客に提供するとともに、前記フィルタリングされたデータを含む前記データベースの一部のみへ前記顧客にアクセスさせる、請求項１に記載の方法。
【請求項４】
前記フィルタリングされたデータを含む前記データベースの一部へアクセスさせる前に、前記フィルタリングされたデータを暗号化することを更に含む、請求項３に記載の方法。
【請求項５】
前記フィルタリングが、前記データベース内のデータをフィルタリングして、前記顧客が支払った課金に応じて取得したガラスシートに対応するフィルタリングされたデータを当該顧客に提供することを含む、請求項３に記載の方法。
【請求項６】
顧客が支払った課金に応じた前記データベース内の情報への複数のアクセスレベルを設定することを更に含む、請求項１から５の何れかに記載の方法。
【請求項７】
前記ガラスの属性マップが、ガラスシートの厚さ、ガラスの種類、製造年月日、製造時刻、製造場所、製造機械、又はそれらの任意の組み合わせを含む、請求項１から６の何れかに記載の方法。
【請求項８】
前記識別子が、固有の一次元バーコード、固有の二次元バーコード、又は固有のデータマトリクスを含む、請求項１から７の何れかに記載の方法。
【請求項９】
前記複数のガラスシートの各々を識別することが、前記識別子で前記ガラスシートの各々をマーキングすることを含む、請求項１から８の何れかに記載の方法。
【請求項１０】
前記マーキングすることがレーザーを使用してマーキングすることを含む、請求項９に記載の方法。
【請求項１１】
前記属性マップを作成することが、スキャナを使用して前記複数のガラスシートの各々を走査し、そして各欠陥の位置と種類を前記データベースに記録することを含む、請求項１から１０の何れかに記載の方法。
【請求項１２】
前記ガラスの属性マップが、欠陥の大きさ、欠陥の位置、欠陥の種類、欠陥の密度、欠陥の重症度基準、あるいはそれらの任意の組み合わせを含む、請求項１１に記載の方法。
【請求項１３】
前記重症度基準が設定限界値よりも小さい隣接する欠陥間の距離を含む、請求項１２に記載の方法。
【請求項１４】
前記重症度基準が、前記ガラスシート内のガラス層内若しくは前記ガラスシート上の塗膜層内の欠陥の位置、又はこれらの組み合わせを含む、請求項１２に記載の方法。
【請求項１５】
前記重症度基準が１と１０の間の段階又は０と１の間の段階を尺度とする、請求項１２に記載の方法。
【請求項１６】
加工のために前記顧客にガラスシートを送るための容認できる重症度基準限界値が、シートごとに約０．６の密度の約５ミリメートルのガラス欠陥の大きさであり、又はシートごとに約１の密度の約３ミリメートルのガラス欠陥の大きさである、請求項１２に記載の方法。
【請求項１７】
前記複数のガラスシートの各々が塗膜を有し、前記ガラスの欠陥が該塗膜の欠陥を含む、請求項１から１６の何れかに記載の方法。
【請求項１８】
前記複数のガラスシートの各々を走査して、前記ガラスの属性マップを前記塗膜と関連付けられた情報で更新することを更に含む、請求項１７に記載の方法。
【請求項１９】
前記顧客の有する読み取り装置によって前記複数のシートのうちの第１のシートの識別子を読み取り、そして当該第１のシート及び前記複数のシートのうちの他のシートの属性マップを前記データベースから検索することを更に含む、請求項１から１８の何れかに記載の方法。
【請求項２０】
前記複数のガラスシートがガラスシート積重体として配列されており、各ガラスシートの欠陥が識別される、請求項１から１９の何れかに記載の方法。
【請求項２１】
前記積重体内の各シートの順序を前記データベースに記録することを更に含む、請求項２０に記載の方法。
【請求項２２】
ガラスの欠陥を識別するシステムであって、
顧客によって加工される複数のガラスシートの各々を識別子で識別するように構成された識別装置、
前記複数のガラスシートの各々についてガラスの属性マップを作成するように構成されたマッピング装置、
前記複数のガラスシートの各々の前記属性マップを前記複数のガラスシートのうちの対応する各ガラスシートの識別子に関連付けるように構成されたコンピュータシステム、及び
前記ガラスシートの各々の前記ガラスの属性マップを格納するように構成され、且つ顧客のコンピュータによりインターネット又は何らかの無線ネットワークを介してアクセス可能なデータベース、
を含み、
前記データベースの少なくとも一部は、前記顧客が取得した前記ガラスシートの前記属性マップの少なくとも一部を当該顧客がそのコンピュータにより検索できるように、前記データベース内の情報への所定のアクセスレベルに従って当該顧客がそのコンピュータによりアクセスすることが可能である、ガラス欠陥の識別システム。
【請求項２３】
前記データベースが暗号化されており、且つ供与された前記アクセスレベルに従って前記データベース内のデータへアクセスすることが鍵を使用してできるようにされて、前記顧客が取得した前記ガラスシートに関連付けられ格納された前記属性マップの統計的データ処理を当該顧客が行うことを防止している、請求項２２に記載のシステム。
【請求項２４】
前記データベース内のデータをフィルタリングして、取得された前記ガラスシートに対応するフィルタリングされたデータを前記顧客に提供する、請求項２２又は２３に記載のシステム。
【請求項２５】
前記フィルタリングされたデータを暗号化する、請求項２４に記載のシステム。
【請求項２６】
前記データベース内のデータを前記顧客が支払った課金に応じてフィルタリングする、請求項２４に記載のシステム。
【請求項２７】
前記顧客が支払った課金に応じて前記データベース内の情報への複数のアクセスレベルを設定する、請求項２２から２６の何れかに記載のシステム。
【請求項２８】
前記ガラスの属性マップが、欠陥の大きさ、欠陥の位置、欠陥の種類、欠陥の密度、又は欠陥の重症度基準、あるいはそれらの任意の組み合わせを含む、請求項２２から２７の何れかに記載のシステム。
【請求項２９】
前記重症度基準が設定限界値よりも小さい隣接する欠陥間の距離を含む、請求項２８に記載のシステム。
【請求項３０】
前記重症度基準が、前記ガラスシート内のガラス層の内部若しくは前記ガラスシート上の塗膜層の内部の欠陥の位置、あるいはそれらの組み合わせを含む、請求項２８に記載のシステム。
【請求項３１】
ガラスシート用の切断レイアウトを作成する方法であって、
第１製造業者に関連付けられたデータベース内の情報に、第２製造業者に関連付けられたコンピュータシステムによってインターネット又は何らかの無線ネットワークを介してアクセスし、このデータベースはガラスシート内の１以上の欠陥の位置を含むガラスシートの属性を格納しており、第２製造業者により第１製造業者に支払われた課金又は料金に応じて、アクセスされる前記情報の量を第１製造業者に関連付けられたコンピュータシステムによって設定すること、及び
第２製造業者に関連付けられたコンピュータシステムによって前記情報を処理して、所望の切断レイアウトを作成するための最適化した切断手順を提供すること、
を含む、ガラスシート用切断レイアウトの作成方法。
【外国語明細書】
2018055696000001.pdf